【事件の表示】
　特願２００２−３６３８６２「電気光学装置の駆動方法及び電子機器。」拒絶査定不服審判事件〔平成１６年　７月１５日出願公開、特開２００４−１９８４９３〕について、次のとおり審決する。
【結　論】
　本件審判の請求は、成り立たない。
【理　由】
１　手続の経緯
　本件は、平成１４年１２月１６日にされた特許出願（特願２００２−３６３８６２号。以下、「本件出願」という。）であって、平成１８年１月２６日付け（発送日：同年１月３１日）で拒絶査定がなされ、これに対して、同年３月１日に拒絶査定不服審判が請求されるとともに、同年３月２９日付けで明細書を補正対象とする手続補正書が提出されたものである。
　
２　平成１８年３月２９日付け手続補正についての補正却下の決定
　
［補正却下の決定の結論］
　平成１８年３月２９日付けの手続補正を却下する。
　
［理由］
（１）補正の内容
　平成１８年３月２９日提出の手続補正（以下、「本件補正」という。）は、補正前の特許請求の範囲の記載
「【請求項１】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線のうち奇数行の走査線に接続された第１群の単位回路の各々に対して、前記複数のデータ線及び前記第１群の単位回路の各々に含まれる前記第１スイッチングトランジスタを介してデータ信号を供給することによって、前記第１群の単位回路の各々に含まれる前記駆動用トランジスタの導通状態を設定し、
　前記第１の期間に、前記複数の単位回路のうち、前記複数の走査線のうち偶数行の走査線に接続された第２群の単位回路の各々に含まれる前記第１スイッチングトランジスタをオフ状態として、前記第２群の単位回路の各々に含まれる前記駆動用トランジスタを、オフ状態とし、
　第２の期間に、前記第１群の単位回路の各々に含まれる前記第１スイッチングトランジスタをオフ状態として、前記第１群の単位回路に含まれる前記駆動用トランジスタをオフ状態とし、
　前記第２の期間に、前記第２群の単位回路の各々に対して、前記複数のデータ線及び前記第２群の単位回路の各々に含まれる前記第１のスイッチングトランジスタを介してデータ信号を供給することによって、前記第２群の単位回路の各々に含まれる前記駆動用トランジスタの導通状態を設定すること、
　を特徴とする電気光学装置の駆動方法。
【請求項２】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線のうち奇数行の走査線に接続された第１群の単位回路の各々に対して、前記複数のデータ線及び前記第１群の単位回路の各々に含まれる前記第１スイッチングトランジスタを介してデータ信号を供給することによって、前記第１群の単位回路の各々に含まれる前記駆動用トランジスタの導通状態を設定し、
　前記第１の期間に、前記複数の単位回路のうち、前記複数の走査線のうち偶数行の走査線に接続された第２群の単位回路の各々に含まれる前記第１スイッチングトランジスタをオフ状態として、前記第２群の単位回路に対してリセット動作を行い、
　第２の期間に、前記第１群の単位回路の各々に含まれる前記第１スイッチングトランジスタをオフ状態として、前記第１群の単位回路に対してリセット動作を行い、
　前記第２の期間に、前記第２群の単位回路の各々に対して、前記複数のデータ線及び前記第１のスイッチングトランジスタを介してデータ信号を供給することによって、前記第２群の単位回路の各々に含まれる前記駆動用トランジスタの導通状態を設定すること、
　を特徴とする電気光学装置の駆動方法。
【請求項３】
　請求項１に記載の電気光学装置の駆動方法において、
　前記複数の単位回路の各々は、さらに前記駆動用トランジスタの第１の端子と第１の制御用端子との電気的接続を制御する第２スイッチングトランジスタを含み、
　前記第１の期間に、前記第２群の単位回路の各々に含まれる前記駆動用トランジスタを、前記第２軍の単位回路に含まれる前記第２スイッチングトランジスタをオン状態とすることにより、オフ状態とし、
　前記第２の期間に、前記第１群の単位回路の各々に含まれる前記駆動用トランジスタを、前記第１群の単位回路に含まれる前記第２のスイッチングトランジスタをオン状態とすることにより、オフ状態とすること、
　を特徴とする電気光学装置の駆動方法。
【請求項４】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、第２のスイッチングトランジスタと、を含み、
　第１の期間に、前記複数の単位回路のうち、前記複数の走査線のうち奇数行の走査線に接続された第１群の単位回路の各々に含まれる前記第１スイッチングトランジスタ及び前記第２スイッチングトランジスタをそれぞれオン状態として、前記複数のデータ線及び前記第１群の単位回路の各々に含まれる前記第１スイッチングトランジスタを介してデータ信号を供給することによって、前記第１群の単位回路の各々に含まれる前記駆動用トランジスタの導通状態を設定し、
　前記第１の期間に、前記複数の単位回路のうち、前記複数の走査線のうち偶数行の走査線に接続された第２群の単位回路の各々に含まれる前記第１スイッチングトランジスタ及び前記第２スイッチングトランジスタをそれぞれオフ状態及びオン状態として、前記第２群の単位回路の各々に含まれる前記駆動用トランジスタをオフ状態とし、
　第２の期間に、前記第１群の単位回路の各々に含まれる前記第１スイッチングトランジスタ及び前記第２のスイッチングトランジスタをそれぞれオフ状態及びオン状態として、前記第１群の単位回路に含まれる前記駆動用トランジスタをオフ状態とし、
　前記第２の期間に、前記第２群の単位回路の各々に含まれる前記第１スイッチングトランジスタ及び前記第２スイッチングトランジスタをオン状態として、前記複数のデータ線及び前記第２群の単位回路に含まれる前記第１のスイッチングトランジスタを介してデータ信号を供給することによって、前記第２群の単位回路の各々に含まれる前記駆動用トランジスタの導通状態を設定すること、
　を特徴とする電気光学装置の駆動方法。
【請求項５】
　請求項１乃至４のいずれかに記載の電気光学装置の駆動方法において、
　前記第１の期間と前記第２の期間は、１フレーム期間に含まれること、
　を特徴とする電気光学装置の駆動方法。
【請求項６】
　請求項１乃至５のいずれかに記載の電気光学装置の駆動方法において、
　前記データ信号は、電流として供給されるデータ電流であること、
　を特徴とする電気光学装置の駆動方法。
【請求項７】
　請求項１、２、及び４のいずれかに記載の電気光学装置の駆動方法において、
　前記駆動用トランジスタは第１の端子と第２の端子と第１の制御用端子とを備え、
　前記第２の端子は電気的に所定の電位に接続されていること、
　を特徴とする電気光学装置の駆動方法。
【請求項８】
　請求項７に記載の電気光学装置の駆動方法において、
　前記複数の単位回路の各々は、前記第１の制御用端子に接続された容量素子を備え、
　前記駆動用トランジスタの前記導通状態は、前記容量素子に蓄積された電荷量に対応していること、
　を特徴とする電気光学装置の駆動方法。
【請求項９】
　請求項１乃至８のいずれかに記載の電気光学装置の駆動方法において、
　前記複数の単位回路の各々は、さらに電気光学素子を含み、前記駆動用トランジスタは、前記電気光学素子に接続されていること、
　を特徴とする電気光学装置の駆動方法。
【請求項１０】
　請求項９に記載の電気光学装置の駆動方法において、
　前記電気光学素子は発光素子であること、
　を特徴とする電気光学装置の駆動方法。
【請求項１１】
　請求項９に記載の電気光学装置の駆動方法において、
　前記複数の走査線の各々に接続された単位回路は全て同色を発現する電気光学素子を含むこと、
　を特徴とする電気光学装置の駆動方法。
【請求項１２】
　請求項１１に記載の電気光学装置の駆動方法において、
　前記電気光学素子は、赤色、緑色、及び青色のいずれかで発光する３種類の発光素子のうちいずれか一つであること、
　を特徴とする電気光学装置の駆動方法。
【請求項１３】
　請求項１乃至１２のいずれかに記載の電気光学装置の駆動方法によって駆動される電気光学装置を備えた電子機器。」
　を、
「【請求項１】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、
　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、
　第２の期間に、前記第１群の複数の単位回路の各々に含まれる前記第１スイッチングトランジスタをオフ状態として、前記第１群の複数の単位回路に含まれる前記駆動用トランジスタをオフ状態とし、
　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定し、
　前記第１群の複数の単位回路は、同色を発現する複数の第１の電気光学素子を含み、
　前記複数の第１の電気光学素子の各々は前記第１群の複数の単位回路の一つの単位回路に含まれること、
　を特徴とする電気光学装置の駆動方法。
【請求項２】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線のうち奇数行の走査線に接続された第１群の複数の単位回路の各々に対して、前記複数のデータ線及び前記第１群の複数の単位回路の各々に含まれる前記第１スイッチングトランジスタを介してデータ信号を供給することによって、前記第１群の複数の単位回路の各々に含まれる前記駆動用トランジスタの導通状態を設定し、
　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路に対してリセット動作を行い、
　第２の期間に、前記第１群の複数の単位回路の各々に含まれる前記第１スイッチングトランジスタをオフ状態として、前記第１群の複数の単位回路に対してリセット動作を行い、
　前記第２の期間に、前記第２群の複数の単位回路の各々に対して、前記複数のデータ線及び前記第１のスイッチングトランジスタを介してデータ信号を供給することによって、
前記第２群の複数の単位回路の各々に含まれる前記駆動用トランジスタの導通状態を設定し、
　前記第１群の複数の単位回路は同色を発現する複数の第１の電気光学素子を含み、
　前記複数の第１の電気光学素子の各々は前記第１群の複数の単位回路の一つの単位回路に含まれること、
　を特徴とする電気光学装置の駆動方法。
【請求項３】
　請求項１に記載の電気光学装置の駆動方法において、
　前記複数の単位回路の各々は、前記駆動用トランジスタの第１の端子と第１の制御用端子との電気的接続を制御する第２スイッチングトランジスタをさらに含み、
　前記第１の期間に、前記第２群の複数の単位回路の各々に含まれる前記駆動用トランジスタを、前記第２群の複数の単位回路に含まれる前記第２スイッチングトランジスタをオン状態とすることによりオフ状態とし、
　前記第２の期間に、前記第１群の複数の単位回路の各々に含まれる前記駆動用トランジスタを、前記第１群の複数の単位回路に含まれる前記第２のスイッチングトランジスタをオン状態とすることによりオフ状態とすること、
　を特徴とする電気光学装置の駆動方法。
【請求項４】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、第２のスイッチングトランジスタと、を含み、
　第１の期間に、前記複数の単位回路のうち、前記複数の走査線のうち奇数行の走査線に接続された第１群の複数の単位回路の各々に含まれる前記第１スイッチングトランジスタ及び前記第２スイッチングトランジスタをそれぞれオン状態として、前記複数のデータ線及び前記第１群の複数の単位回路の各々に含まれる前記第１スイッチングトランジスタを介してデータ信号を供給することによって、前記第１群の複数の単位回路の各々に含まれる前記駆動用トランジスタの導通状態を設定し、
　前記第１の期間に、前記複数の単位回路のうち、前記複数の走査線のうち偶数行の走査線に接続された第２群の複数の単位回路の各々に含まれる前記第１スイッチングトランジスタ及び前記第２スイッチングトランジスタをそれぞれオフ状態及びオン状態として、前記第２群の複数の単位回路の各々に含まれる前記駆動用トランジスタをオフ状態とし、
　第２の期間に、前記第１群の複数の単位回路の各々に含まれる前記第１スイッチングトランジスタ及び前記第２のスイッチングトランジスタをそれぞれオフ状態及びオン状態として、前記第１群の複数の単位回路に含まれる前記駆動用トランジスタをオフ状態とし、
　前記第２の期間に、前記第２群の複数の単位回路の各々に含まれる前記第１スイッチングトランジスタ及び前記第２スイッチングトランジスタをオン状態として、前記複数のデータ線及び前記第２群の複数の単位回路に含まれる前記第１のスイッチングトランジスタを介してデータ信号を供給することによって、前記第２群の複数の単位回路の各々に含まれる前記駆動用トランジスタの導通状態を設定し、
　前記第１群の複数の単位回路は同色を発現する複数の第１の電気光学素子を含み、
　前記複数の第１の電気光学素子の各々は前記第１群の複数の単位回路の一つの単位回路に含まれること、
　を特徴とする電気光学装置の駆動方法。
【請求項５】
　請求項１乃至４のいずれかに記載の電気光学装置の駆動方法において、
　前記第１の期間と前記第２の期間は、１フレーム期間に含まれ、
　前記第２群の複数の単位回路は同色を発現する複数の第２の電気光学素子を含み、
　前記複数の第２の電気光学素子の各々は前記第２群の複数の単位回路の一つの単位回路に含まれること、
　を特徴とする電気光学装置の駆動方法。
【請求項６】
　請求項１乃至５のいずれかに記載の電気光学装置の駆動方法において、
　前記データ信号は、電流として供給されるデータ電流であること、
　を特徴とする電気光学装置の駆動方法。
【請求項７】
　請求項１、２、及び４のいずれかに記載の電気光学装置の駆動方法において、
　前記駆動用トランジスタは第１の端子と第２の端子と第１の制御用端子とを備え、
　前記第２の端子は電気的に所定の電位に接続されていること、
　を特徴とする電気光学装置の駆動方法。
【請求項８】
　請求項７に記載の電気光学装置の駆動方法において、
　前記複数の単位回路の各々は、前記第１の制御用端子に接続された容量素子を備え、
　前記駆動用トランジスタの前記導通状態は、前記容量素子に蓄積された電荷量に対応していること、
　を特徴とする電気光学装置の駆動方法。
【請求項９】
　請求項１乃至８のいずれかに記載の電気光学装置の駆動方法において、
　前記第１群の複数の単位回路の各々に含まれる前記駆動用トランジスタは、前記複数の第１の電気光学素子の一つの第１の電気光学素子に接続されていること、
　を特徴とする電気光学装置の駆動方法。
【請求項１０】
　請求項９に記載の電気光学装置の駆動方法において、
　前記複数の第１の電気光学素子の各々は発光素子であること、
　を特徴とする電気光学装置の駆動方法。
【請求項１１】
　請求項５に記載の電気光学装置の駆動方法において、
　前記複数の第１の電気光学素子の各々は発光素子であり、
　前記複数の第２の電気光学素子の各々は発光素子であること、
　を特徴とする電気光学装置の駆動方法。
【請求項１２】
　請求項１１に記載の電気光学装置の駆動方法において、
　前記複数の第１の電気光学素子の各々は、赤色、緑色、及び青色のいずれかで発光する３種類の発光素子のうちいずれか一つであり、
　前記複数の第２の電気光学素子の各々は、赤色、緑色、及び青色のいずれかで発光する３種類の発光素子のうちいずれか一つであること、
　を特徴とする電気光学装置の駆動方法。
【請求項１３】
　請求項１乃至１２のいずれかに記載の電気光学装置の駆動方法によって駆動される電気光学装置を備えた電子機器。」
　と補正する内容を含むものである。
　
（２）補正の目的の適合性
　上記補正の内容は、補正前の請求項１に記載された発明特定事項である「第１群の単位回路」、「第２群の単位回路」を、それぞれ「第１群の複数の単位回路」、「第２群の複数の単位回路」と限定すると共に、「第１群の複数の単位回路」を「同色を発現する複数の第１の電気光学素子を含み、前記複数の第１の電気光学素子の各々は前記第１群の複数の単位回路の一つの単位回路に含まれること」との限定する事項を加えるものであるから、平成１８年改正前特許法第１７条の２第４項第２号の特許請求の範囲の減縮を目的とするものに該当し、請求項１の引用形式で記載された請求項３、５乃至１３も同じく減縮されている。また、補正前の請求項２，４についても、上記請求項１と同様の限定事項を加えることにより、特許請求の範囲を減縮したものである。
　
（３）独立特許要件
　本件補正後の請求項１乃至１３に係る発明は、平成１８年３月２９日付け手続補正書より補正された特許請求の範囲の記載からみて、請求項１乃至１３に記載された事項により特定されるとおりのものと認められるところ、その請求項１に記載された発明は、次のとおりである。
「【請求項１】
　複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、
　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、
　第２の期間に、前記第１群の複数の単位回路の各々に含まれる前記第１スイッチングトランジスタをオフ状態として、前記第１群の複数の単位回路に含まれる前記駆動用トランジスタをオフ状態とし、
　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定し、
　前記第１群の複数の単位回路は、同色を発現する複数の第１の電気光学素子を含み、
　前記複数の第１の電気光学素子の各々は前記第１群の複数の単位回路の一つの単位回路に含まれること、
　を特徴とする電気光学装置の駆動方法。」（以下、「本件補正発明」という。）
　
　そこで、本件補正発明が、特許出願の際独立して特許を受けることができるものであるか（平成１８年改正前特許法第１７条の２第５項において準用する同法第１２６条第５項の規定に適合するか）について、以下検討する。
　
（４）刊行物に記載された発明
　原査定の拒絶の理由で引用され、本願の出願前に頒布された刊行物である国際公開第０１／０６４８４号パンフレット（以下、「刊行物１」という。）には、図面とともに、次の事項が記載されている。
ア「基本的に、本発明にかかる表示装置は、走査線ｓｃａｎＡ及びｓｃａｎＢを順次選択する走査線駆動回路と、輝度情報に応じた電流レベルを有する信号電流Ｉｗを生成して逐次データ線ｄａｔａに供給する電流源ＣＳを含むデータ線駆動回路と、各走査線ｓｃａｎＡ，ｓｃａｎＢ及び各データ線ｄａｔａの交差部に配されていると共に、駆動電流の供給を受けて発光する電流駆動型の発光素子ＯＬＥＤを含む複数の画素とを備えている。」（第１６頁第１８行−同頁第２３行。）
　
イ「更に、前記駆動部は、ゲート、ドレイン、ソース及びチャネルを備えた駆動用薄膜トランジスタＴＦＴ２を含んでいる。駆動用薄膜トランジスタＴＦＴ２は、容量Ｃに保持された電圧レベルをゲートに受け入れそれに応じた電流レベルを有する駆動電流をチャネルを介して発光素子ＯＬＥＤに流す。変換用薄膜トランジスタＴＦＴ１のゲートと駆動用薄膜トランジスタＴＦＴ２のゲートとが直接に接続されてカレントミラー回路を構成し、信号電流Ｉｗの電流レベルと駆動電流の電流レベルとが比例関係となる様にした。駆動用薄膜トランジスタＴＦＴ２は、画素内で対応する変換用薄膜トランジスタＴＦＴ１の近傍に形成されており、変換用薄膜トランジスタＴＦＴ１と同等の閾電圧を有する。駆動用薄膜トランジスタＴＦＴ２は飽和領域で動作し、そのゲートに印加された電圧レベルと閾電圧との差に応じた駆動電流を発光素子ＯＬＥＤに流す。」（第１７頁第１４行−同頁第２４行。）
　
ウ「図７は、図５の画素回路をマトリクス状に並べて構成した表示装置の例である。その動作を以下に説明する。先ず、垂直スタートパルス（ＶＳＰ）がシフトレジスタを含む走査線駆動回路Ａ２１と同じくシフトレジスタを含む走査線駆動回路Ｂ２３に入力される。走査線駆動回路Ａ２１，走査線駆動回路Ｂ２３はＶＳＰを受けた後、垂直クロック（ＶＣＫＡ，ＶＣＫＢ）に同期してそれぞれ第１の走査線ｓｃａｎＡ１〜ｓｃａｎＡＮ、第２の走査線ｓｃａｎＢ１〜ｓｃａｎＢＮを順次選択する。各データ線ｄａｔａに対応して電流源ＣＳがデータ線駆動回路２２内に設けられており、輝度情報に応じた電流レベルでデータ線を駆動する。電流源ＣＳは、図示の電圧／電流変換回路からなり、輝度情報を表す電圧に応じて信号電流を出力する。信号電流は選択された走査線上の画素に流れ、走査線単位で電流書き込みが行われる。各画素はその電流レベルに応じた強度で発光を開始する。ただし、ＶＣＫＡは、ＶＣＫＢに対し、遅延回路２４によってわずかに遅延されている。これにより、図６に示したように、第２の走査線ｓｃａｎＢが第１の走査線ｓｃａｎＡに先立って非選択となる。」（第１９頁２４行−第２０頁第１１行。）
　
エ「図１９は図１８に示した画素回路の変形例である。本例では、図５、図８、図９、図１１〜図１７に示した回路と同様に、同一導電タイプＰチャネルＴＦＴから構成した２つの取込用薄膜トランジスタＴＦＴ３及びスイッチ用薄膜トランジスタＴＦＴ４のゲートをそれぞれ異なる走査線、即ち第１の走査線ｓｃａｎＡ及び第２の走査線ｓｃａｎＢに接続して、それぞれ別々に制御する。このように別々に制御する理由は、図１８の例のようにＴＦＴ３及びＴＦＴ４を共通の信号で制御すると次のような不都合が生じる場合があるからである。
  ある走査線上の画素に対する書きこみが終了する時、図１８の例で走査線ｓｃａｎのレベルが上昇する際、ＴＦＴ３のインピーダンスは必然的に増大していき、最終的に事実上無限大、すなわちｏｆｆ状態となる。従ってこの過程においてデータ線ｄａｔａの電位は次第に上昇するが、ある程度まで上昇した時点でデータ線ｄａｔａを駆動する電流源が定電流性を失い、電流値は減少する。
  具体例として、図１８のようにデータ線ｄａｔａがＰＮＰトランジスタＢＩＰ１によって駆動されている例を考える。ベースに流れる電流を一定値Ｉｂ、トランジスタＩＢＩＰ１の電流増幅率をβとすると、トランジスタＢＩＰ１のコレクタ・エミッタ間にある程度の電圧（例えば１Ｖ）がかかっていれば、トランジスタＢＩＰ１はほぼ定電流源として動作し、データ線ｄａｔａにはＩｗ＝βＩｂの大きさの電流が供給される。ところが、書き込み終了時に、ＴＦＴ３のインピーダンスが上昇するとデータ線の電位が上昇して行き、トランジスタＢＩＰ１が飽和領域に入ると定電流性を失い、駆動電流はβＩｂより減少する。このときＴＦＦ４がｏｎ状態であれば、この減少した電流値がＴＦＴ１に流れ、正確に所望の電流値が書き込まれないことになる。
  従って、ＴＦＴ３とＴＦＴ４を別々の信号線、即ちそれぞれ第１の走査線ｓｃａｎＡ、第２の走査線ｓｃａｎＢによって制御し、書き込み終了時にはＴＦＴ３に先だってＴＦＴ４をｏｆｆ状態とすることがより望ましい。本発明に係る画素回路においては、ＴＦＴ３とＴＦＴ４は、前述した各例のように同一導電タイプである必要はなく、ＴＦＴ３とＴＦＴ４とは同一または異なる導電タイプであり、それぞれのゲートをｓｃａｎＡ及びｓｃａｎＢという別々の走査線によって制御し、書き込み終了時にはＴＦＴ３に先だってＴＦＴ４がｏｆｆ状態とするように構成することが望ましい。このことは、図面を参照して説明した前述の各例においても同様のことが言える。
  また、ＴＦＴ３、ＴＦＴ４をそれぞれ別の走査線ｓｃａｎＡ、ｓｃａｎＢによって制御する場合は、書き込み終了後、第２の走査線ｓｃａｎＢの操作によってＴＦＴ４をｏｎ状態とし、走査線単位で画素を消灯することができる。これは、ＴＦＴ１のゲート・ドレイン、及びＴＦＴ２のゲートが接続されるため、ＴＦＴ２のゲート電圧はＴＦＴ１のしきい値（これはＴＦＴ２のしきい値にほぼ等しい）となり、ＴＦＴ１、ＴＦＴ２共にｏｆｆ状態となるからである。第２のｓｃａｎＢの波形は、図２０（ｂ）に示すように、パルス状の消灯信号を与えても良いし、図２０（Ｃ）に示すｓｃａｎＢ’のように持続的な消灯信号を与えても良い。
  このように、消灯信号のタイミングを変えることによって、表示装置の輝度を簡便自在に変化させることが可能である。Ｒ．Ｇ．Ｂの色毎に第２の走査線ｓｃａｎＢを分け、別々に制御すれば色バランス調整も簡便に行うことができる。
  更に、同じ時間平均輝度を得たい場合、発光期間の割合（ｄｕｔｙ）を減らすことによって発光素子ＯＬＥＤの駆動電流を大きくできる。これは即ちそれだけ大きな書き込み電流を扱うことをも意味するので、データ線ｄａｔａへの書き込み駆動回路の実現が容易になり、書き込み必要時間も短縮できる。また、発光ｄｕｔｙを５０％程度以下にすることによって動画画質が向上する。」（第２９頁第２５行−第３１頁第２０行。）
　
オ  図面のＦＩＧ．７には、複数のｓｃａｎＡ線と複数のｄａｔａ線の交差部に配置された複数の画素（２５）を備えてなる表示装置の構成が見て取れる。
　
カ　図面のＦＩＧ．２０Ａ乃至Ｃには、ｓｃａｎＢ又はｓｃａｎＢ’信号を制御することにより、発光期間と消灯期間の割合を制御するようにしてなる構成が見て取れる。
　
　上記摘記事項アから「複数の走査線ｓｃａｎＡと、複数のデータ線ｄａｔａと、前記複数の走査線ｓｃａｎＡと前記複数のデータ線ｄａｔａの交差部に配置された複数の画素（２５）と、を備えた表示装置」の構成が読み取れる。
　上記摘記事項イの「変換用薄膜トランジスタＴＦＴ１のゲートと駆動用薄膜トランジスタＴＦＴ２のゲートとが直接に接続されてカレントミラー回路を構成し、信号電流Ｉｗの電流レベルと駆動電流の電流レベルとが比例関係となる様にした。」との記載、上記摘記事項エの「本例では、図５、図８、図９、図１１〜図１７に示した回路と同様に、同一導電タイプＰチャネルＴＦＴから構成した２つの取込用薄膜トランジスタＴＦＴ３及びスイッチ用薄膜トランジスタＴＦＴ４のゲートをそれぞれ異なる走査線、即ち第１の走査線ｓｃａｎＡ及び第２の走査線ｓｃａｎＢに接続して、それぞれ別々に制御する。・・・また、ＴＦＴ３、ＴＦＴ４をそれぞれ別の走査線ｓｃａｎＡ、ｓｃａｎＢによって制御する場合は、書き込み終了後、第２の走査線ｓｃａｎＢの操作によってＴＦＴ４をｏｎ状態とし、走査線単位で画素を消灯することができる。これは、ＴＦＴ１のゲート・ドレイン、及びＴＦＴ２のゲートが接続されるため、ＴＦＴ２のゲート電圧はＴＦＴ１のしきい値（これはＴＦＴ２のしきい値にほぼ等しい）となり、ＴＦＴ１、ＴＦＴ２共にｏｆｆ状態となるからである。第２のｓｃａｎＢの波形は、図２０（ｂ）に示すように、パルス状の消灯信号を与えても良いし、図２０（Ｃ）に示すｓｃａｎＢ’のように持続的な消灯信号を与えても良い。・・・更に、同じ時間平均輝度を得たい場合、発光期間の割合（ｄｕｔｙ）を減らすことによって発光素子ＯＬＥＤの駆動電流を大きくできる。」との記載及び図面のＦＩＧ２０Ａ乃至Ｃの記載から、「発光期間に、複数の画素（２５）のうち、複数の走査線ｓｃａｎＡに接続された同一行の複数の画素（２５）の各々に対して、複数のデータ線ｄａｔａ及び同一行の画素（２５）の各々に含まれる取込用薄膜トランジスタＴＦＴ３を介して信号電流Ｉｗを供給することによって、同一行の画素（２５）の各々に含まれる駆動用薄膜トランジスタＴＦＴ２の導通状態を設定し、消灯期間に、同一行の複数の画素（２５）の各々に含まれる取込用薄膜トランジスタＴＦＴ３をオフ状態として、同一行の複数の画素（２５）に含まれる駆動用薄膜トランジスタＴＦＴ２を、オフ状態としてなる」構成が読み取れる。
　上記摘記事項ア及び図面のＦＩＧ．７から、「同一行の複数の画素（２５）は、複数の発光素子ＯＬＥＤを含み、前記複数の発光素子ＯＬＥＤの各々は前記同一行の複数の画素（２５）の一つの画素（２５）に含まれてなる」構成が読み取れる。
　
　したがって、上記摘記事項ア〜エ及び図面の記載から、刊行物１には、以下の発明が記載されているものと認められる。　
「複数の走査線ｓｃａｎＡと、複数のデータ線ｄａｔａと、前記複数の走査線ｓｃａｎＡと前記複数のデータ線ｄａｔａの交差部に配置された複数の画素（２５）と、を備えた表示装置の駆動方法であって、前記複数の画素（２５）の各々は、駆動用薄膜トランジスタＴＦＴ２と、取込用薄膜トランジスタＴＦＴ３と、を含み、
　発光期間に、前記複数の画素（２５）のうち、前記複数の走査線ｓｃａｎＡに接続された同一行の複数の画素（２５）の各々に対して、前記複数のデータ線ｄａｔａ及び前記同一行の画素（２５）の各々に含まれる前記取込用薄膜トランジスタＴＦＴ３を介して信号電流Ｉｗを供給することによって、前記同一行の画素（２５）の各々に含まれる前記駆動用薄膜トランジスタＴＦＴ２の導通状態を設定し、
　消灯期間に、前記同一行の複数の画素（２５）の各々に含まれる前記取込用薄膜トランジスタＴＦＴ３をオフ状態として、前記同一行の複数の画素（２５）に含まれる前記駆動用薄膜トランジスタＴＦＴ２を、オフ状態とし、
　前記同一行の複数の画素（２５）は、複数の発光素子ＯＬＥＤを含み、
　前記複数の発光素子ＯＬＥＤの各々は前記同一行の複数の画素（２５）の一つの画素（２５）に含まれてなる表示装置の駆動方法。」（以下、「刊行物発明１」という。）
　
（５）対比
　本件補正発明と刊行物発明１とを対比すると、刊行物発明１の「走査線ｓｃａｎＡ」は、本件補正発明の「走査線」に相当し、以下同様に「データ線ｄａｔａ」は「データ線」に、「画素（２５）」は「単位回路」に、「表示装置の駆動方法」は「電気光学装置の駆動方法」に、「取込用薄膜トランジスタＴＦＴ３」は「第１スイッチングトランジスタ」に、「駆動用薄膜トランジスタＴＦＴ２」は「駆動用トランジスタ」に、「信号電流Ｉｗ」は「データ信号」に、「発光素子ＯＬＥＤ」は「電気光学素子」に、それぞれ相当する。
　刊行物１には、発光ｄｕｔｙを５０％程度以下にすることが示されており、発光ｄｕｔｙとして５０％を選択した場合には、上記刊行物発明１の「発光期間」、「消灯期間」は、それぞれ本件補正発明の「第１の期間」、「第２の期間」に相当する。
　また、刊行物１の「発光期間に、前記複数の画素（２５）のうち、前記複数の走査線ｓｃａｎＡに接続された同一行の複数の画素（２５）の各々に対して、前記複数のデータ線ｄａｔａ及び前記同一行の画素（２５）の各々に含まれる前記取込用薄膜トランジスタＴＦＴ３を介して信号電流Ｉｗを供給することによって、前記同一行の画素（２５）の各々に含まれる前記駆動用薄膜トランジスタＴＦＴ２の導通状態を設定し、　消灯期間に、前記同一行の複数の画素（２５）の各々に含まれる前記取込用薄膜トランジスタＴＦＴ３をオフ状態として、前記同一行の複数の画素（２５）に含まれる前記駆動用薄膜トランジスタＴＦＴ２を、オフ状態とし」との構成は、本件補正発明の「第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、・・・第２の期間に、前記第１群の複数の単位回路の各々に含まれる前記第１スイッチングトランジスタをオフ状態として、前記第１群の複数の単位回路に含まれる前記駆動用トランジスタをオフ状態とし」との構成と、「奇数行の走査線に接続された」との限定において相違し、その余の点で一致する。
　
　したがって、本件補正発明と刊行物発明１とは、
＜一致点＞
「複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線に接続された複数の単位回路の各々に対して、前記複数のデータ線及び前記単位回路の各々に含まれる前記第１スイッチングトランジスタを介してデータ信号を供給することによって、前記複数の単位回路の各々に含まれる前記駆動用トランジスタの導通状態を設定し、
　第２の期間に、前記複数の単位回路の各々に含まれる前記第１スイッチングトランジスタをオフ状態として、前記複数の単位回路に含まれる前記駆動用トランジスタをオフ状態とし、
　前記複数の単位回路は、複数の第１の電気光学素子を含み、
　前記複数の第１の電気光学素子の各々は前記複数の単位回路の一つの単位回路に含まれる電気光学装置の駆動方法。」の点で一致し、以下の点において相違する。
　
＜相違点１＞
　本件補正発明では、「第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、　第２の期間に、前記第１群の複数の単位回路の各々に含まれる前記第１スイッチングトランジスタをオフ状態として、前記第１群の複数の単位回路に含まれる前記駆動用トランジスタをオフ状態とし、　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定」する構成であるのに対して、刊行物発明１は、そのような構成でない点。
　
＜相違点２＞
　本件補正発明では、「第１群の複数の単位回路は、同色を発現する複数の第１の電気光学素子を含み、　前記複数の第１の電気光学素子の各々は前記第１群の複数の単位回路の一つの単位回路に含まれる」構成であるのに対して、刊行物発明１は、具体的にどのような構成をとっているのか明確ではない点。
　
（６）判断
　上記相違点１について検討する。
  本願出願前の平成１４年７月５日に頒布された刊行物である特開２００２−１８９４４７号公報（以下、「刊行物２」という。）には、図面とともに次の事項が記載されている。
ア「【００６０】図１０及び１１は、本発明の第６、第７及び第８の特徴事項に対応する実施例である。
【００６１】Ｇ1，Ｇ2，・・・Ｇn（ｎ本のゲート走査線）は、薄膜トランジスタで構成したスィッチング素子Ｔｒ1のゲートに接続したゲート線に、順次印加するゲートオンパルス（ハイ・レベル電圧）であって、このゲートオンパルスの順次印加によって、書込み行の選択がなされる。この走査選択信号となるゲートオンパルスＧ1，Ｇ2，・・・Ｇnは、インターレース走査方式による印加であってもよく、ノンーインターレース走査方式による印加であってもよい。また、インターレース走査方式による駆動のときには、１本飛越し、又は２本以上の飛越しによるインターレース走査であってもよい。
【００６２】Ｓ11，Ｓ21，…Ｓn1は、ＥＬの発光時間を制御するための制御パルスであり、所定発光期間中に、薄膜トランジスタで構成したスィッチング素子Ｔｒ3のゲートに印加され、Ｇ1，Ｇ2，・・・Ｇnのゲートオンパルス（ハイ・レベル電圧）の印加時、又はその前で、又はその後で、印加され、この時のＥＬは、順バイアス状態に設定される。
【００６３】Ｓ12，Ｓ22，・・・Ｓn2は、ＥＬの発光を中断させ、その代わりに、バイアス制御線ＲＢ1，ＲＢ2・・・ＰＢnからＥＬに対して逆バイアスを印加するために、スィッチング素子Ｔｒ3へのゲートオフパルス（ロー・レベル電圧）の印加時、又はその前で、又はその後で、薄膜トランジスタで構成したスィッチング素子Ｔｒ4のゲートに対して、ゲートオンパルス（ハイ・レベル電圧）として印加される。
【００６４】バイアス制御線ＲＢ1，ＲＢ2・・・ＰＢnは、図１２に図示する様に、ＥＬ基板６に設置するのが良い。この際、バイアス制御線ＲＢ1，ＲＢ2・・・ＰＢnは、アクティブマトリクス駆動素子となる複数のスィッチング素子Ｔｒ1の各行に対して、平行にさせた透明電極５１１、５１２・・・５１ｎを設け、各透明電極５１１、５１２・・・５１ｎ毎に、ゲートアレイ１２１を通して、独立にアース及び逆バイアス電圧ＶRの何れか一方に切換えるように設定する。これによって、ＥＬ発光時には、ＥＬが順バイアス状態となるように電位設定させて駆動する。
【００６５】図１０のＤ1、Ｄ2、Ｄ3、Ｄ4、…Ｄm（ｍ本の情報線）は、列上のスィッチング素子Ｔｒ1のソースに情報に応じて印加する情報に応じた情報信号パルスであり、ＥＬ（ＢＥＬ、ＧＥＬ、ＲＥＬ）に対して順バイアス状態を設定する。」
　
　また、本願出願前の平成１４年１１月２９日に頒布された刊行物である特開２００２−３４１８２７号公報（以下、「刊行物３」という。）には、図面とともに次の事項が記載されている。
ア「【００３６】この表示装置の表示制御は、図６に示すように、表示デバイス４０には、ＲＧＢの各色を発光する有機ＥＬ素子を組み合わせた画素が格子状に配置され、垂直方向制御回路２３の垂直方向制御は、１画面毎に１ライン飛ばしで表示（奇数ラインと偶数ラインを交互に表示）する制御（インターレース制御）を行い、水平方向制御回路２１の水平方向制御は、垂直方向制御に合わせて水平方向１ライン分の表示データに対応した各有機ＥＬ素子を発光させる電圧を順次かけるようになっている。
【００３７】この構成によれば、垂直方向の制御を間引き（飛ばし、インターレース）制御しているので、表示データが異なる表示コンテンツ間での消費電力のばらつきを抑え、消費電力を削減することができる。
　
　本件補正発明における「第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、　第２の期間に、前記第１群の複数の単位回路の各々に含まれる前記第１スイッチングトランジスタをオフ状態として、前記第１群の複数の単位回路に含まれる前記駆動用トランジスタをオフ状態とし、　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定」する構成は、即ち、第１の期間に奇数行を選択し、該奇数行にある複数の単位回路の各々の駆動用トランジスタを導通状態に設定すると共に、偶数行の第１スイッチングトランジスタをオフ状態として、該偶数行の複数の単位回路に含まれる駆動用トランジスタをオフ状態とし、第２の期間に偶数行を選択し、該偶数行にある複数の単位回路の各々の駆動用トランジスタを導通状態に設定すると共に、奇数行の第１スイッチングトランジスタをオフ状態として、該奇数行の複数の単位回路に含まれる駆動用トランジスタをオフ状態として駆動する構成である。
　つまり、本件補正発明は、第１の期間に奇数行を発光させると共に偶数行を消灯させ、第２の期間に偶数行を発光させる共に奇数行を消灯させるインターレース駆動を行う構成である。
　してみると、刊行物２及び３に示されているように電気光学素子を用いた表示装置の表示制御技術において、走査線を飛び越し走査することにより、一方の期間に奇数行を選択し、他方の期間に偶数行を選択するようなインターレース駆動に関する技術は、周知の技術（以下、「周知技術１」という。）であると認められる。そして、上記刊行物発明１も、上記周知技術１も、共に電気光学素子を用いた表示装置の表示制御技術に関するものであることから、上記刊行物発明１において、単に上記周知技術１を採用することに特段の困難性もない。そして、上記刊行物発明１において、上記周知技術１を採用した際には、第１の期間に奇数行を選択し、該奇数行にある複数の単位回路の各々の駆動用トランジスタを導通状態に設定すると共に、偶数行の第１スイッチングトランジスタをオフ状態として、該偶数行の複数の単位回路に含まれる駆動用トランジスタをオフ状態とし、第２の期間に偶数行を選択し、該偶数行にある複数の単位回路の各々の駆動用トランジスタを導通状態に設定すると共に、奇数行の第１スイッチングトランジスタをオフ状態として、該奇数行の複数の単位回路に含まれる駆動用トランジスタをオフ状態として駆動する構成となることは、技術的に明白である。したがって、上記相違点１に係る本件補正発明の発明特定事項は、刊行物発明１に上記周知技術１を適用することにより当業者が容易に想到し得た程度のものにすぎない。
　
　上記相違点２について検討する。
  原査定の拒絶の理由に引用され、本願出願前の平成１４年１月３１日に頒布された刊行物である特開２００２−３２０５１号公報（以下、「刊行物４」という。）には、図面とともに次の事項が記載されている。
ア「【００１４】本実施形態に係るマトリクス型表示装置は、例えばＲ，Ｇ，Ｂの色フィルタが横（水平）方向において各々ストライプ状に配列されかつ縦（垂直）方向において繰り返して配列された横ストライプの色配列となっている。そして、垂直方向において隣り合うＲ，Ｇ，Ｂの３つの構成要素（ドット）を組として単位画素１１を構成し、この単位画素１１が行列状に配置されることによって表示エリア１２を構成している。ここで、３ドットからなる単位画素１１の面積は、縦ストライブの色配列の場合と同じとする。
【００１５】この表示エリア１２には、垂直画素数×色配列数（本例では、３色）分の本数のスキャン線１３-1〜１３-15 と、水平画素数分の本数のデータ線（コラム線）１４-1〜１４-8とがマトリクス状に配線されている。そして、スキャン線１３-1〜１３-15 とデータ線１４-1〜１４-8との各交点に、単位画素１１中の各色に対応する構成要素（本例では、Ｒ，Ｇ，Ｂの各ドット）が配置されている。
【００１６】スキャン線１３-1〜１３-15 の各一端は、垂直駆動回路１５の各行の出力端にそれぞれ接続されている。垂直駆動回路１５からはスキャン線１３-1〜１３-15に対して、単位画素１１の各構成要素Ｒ，Ｇ，Ｂを行単位で選択するための選択パルスが、垂直方向の走査に伴って順次出力される。一方、データ線１４-1〜１４-8の各一端は、水平駆動回路１６の各列の出力端にそれぞれ接続されている。水平駆動回路１６からはデータ線１４-1〜１４-8に対して、各列ごとにデータ信号が例えばＲ，Ｇ，Ｂの順番で時系列にて出力される。」
　
　また、本願出願前に頒布された刊行物である特開２００１−２９１５８８号公報（以下、「刊行物５」という。）には、図面とともに次の事項が記載されている。
ア「【０１８３】〔実施例５〕図１０（Ａ）の向きに本発明のアクティブマトリクス型自発光装置を見た時、画素列は縦方向に形成しても良いし、横方向に形成しても良い。即ち、縦方向に画素列を形成した場合は、図１６（Ａ）のような配置となり、横方向に画素列を形成した場合は、図１６（Ｂ）のような配置となる。
【０１８４】図１６（Ａ）において、１４０１は縦方向にストライプ状に形成されたバンク、１４０２aは赤色に発光するＥＬ層、１４０２bは緑色に発光するＥＬ層である。勿論、緑色に発光するＥＬ層１４０２bの隣には青色に発光するＥＬ層（図示せず）が形成される。なお、バンク１４０１は絶縁膜を介したソース配線の上方に、ソース配線に沿って形成される。
【０１８５】ここでいうＥＬ層とは、ＥＬ層、電荷注入層、電荷輸送層等の発光に寄与する有機ＥＬ材料からなる層を指している。ＥＬ層単層とする場合もありうるが、例えば正孔注入層とＥＬ層とを積層した場合はその積層膜をＥＬ層と呼ぶ。
【０１８６】このとき、点線で示される画素１４０３の相互の距離（Ｄ）は、ＥＬ層の膜厚（ｔ）の５倍以上（好ましくは１０倍以上）とすることが望ましい。これは、Ｄ＜５ｔでは画素間でクロストークの問題が発生しうるからである。なお、距離（Ｄ）が離れすぎても高精細な画像が得られなくなるので、５ｔ＜Ｄ＜５０ｔ（好ましくは１０ｔ＜Ｄ＜３５ｔ）とすることが好ましい。
【０１８７】また、図１６（Ｂ）において、１４０４は横方向にストライプ状に形成されたバンク、１４０５aは赤色に発光するＥＬ層、１４０５bは緑色に発光するＥＬ層である。１４０５cは緑色に発光するＥＬ層である。なお、バンク１４０４は絶縁膜を介したゲート配線の上方に、ゲート配線に沿って形成される。
【０１８８】この場合も点線で示される画素１４０６の相互の距離（Ｄ）は、ＥＬ層の膜厚（ｔ）の５倍以上（好ましくは１０倍以上）、さらに好ましくは５ｔ＜Ｄ＜５０ｔ（好ましくは１０ｔ＜Ｄ＜３５ｔ）とすると良い。」
　
　本件補正発明における「第１群の複数の単位回路は、同色を発現する複数の第１の電気光学素子を含み、　前記複数の第１の電気光学素子の各々は前記第１群の複数の単位回路の一つの単位回路に含まれる」は、即ち、第１群の複数の単位回路は、同色を発現する複数の第１の電気光学素子を含む構成のことである。
　つまり、本件補正発明は、一本の走査線上の電気光学素子が同色の電気光学素子からなる構成である。
　してみると、刊行物４及び５に示されているように、電気光学素子を用いた表示装置の技術において、一本の走査線上の電気光学素子を同色の電気光学素子とするような技術も、周知の技術（以下、「周知技術２」という。）であると認められる。そして、上記刊行物発明１も、上記周知技術２も、共に電気光学素子を用いた表示装置の技術に関するものであることから、上記刊行物発明１において、上記周知技術２を採用することに特段の困難性もない。したがって、上記相違点２に係る本件補正発明の発明特定事項は、刊行物発明１に上記周知技術２を適用することにより当業者が容易に想到し得た程度のものにすぎない。
　
　そして、本件補正発明の奏する作用効果も、刊行物１乃至５に記載された事項から当業者が予測可能な範囲内のものである。
　したがって、本件補正発明は、刊行物発明１並びに周知技術１及び２に基づいて、当業者が容易に発明をすることができたものである。
　
（７）独立特許要件についてのむすび
　したがって、本件補正発明は、刊行物発明１並びに周知技術１及び２に基づいて当業者が容易に発明をすることができたものであり、特許法第２９条第２項の規定により、特許出願の際独立して特許を受けることができないものである。
　
（８）むすび
　以上のとおりであるから、本件手続補正は、平成１８年改正前特許法第１７条の２第５項において準用する同法第１２６条第５項の規定に違反するものであり、特許法第１５９条第１項において読み替えて準用する同法第５３条第１項の規定により却下すべきものである。
　
３　本願発明
　平成１８年３月２９日付けの手続補正は前記とおり却下されたので、本願の請求項１乃至１３に係る発明は、平成１７年６月３日付け手続補正書の特許請求の範囲の請求項１乃至１３に記載された事項により特定されるとおりのものと認められるところ、その請求項１に記載された発明（以下「本願発明」という。）は、上記の本件補正前の請求項１に記載されたとおりのものである。
　
４　刊行物に記載された発明
　原査定の拒絶の理由で引用され、本願の出願前に頒布された刊行物及びその刊行物に記載された発明は、「２（４）刊行物に記載された発明」の項に記載したとおりである。
　
５　対比
　本願発明と刊行物発明１とを対比すると、本願発明と刊行物発明１とは、
＜一致点＞
「複数の走査線と、複数のデータ線と、前記複数の走査線と前記複数のデータ線の交差部に配置された複数の単位回路と、を備えた電気光学装置の駆動方法であって、
　前記複数の単位回路の各々は、駆動用トランジスタと、第１スイッチングトランジスタと、を含み、
　第１の期間に、前記複数の単位回路のうち、前記複数の走査線に接続された複数の単位回路の各々に対して、前記複数のデータ線及び前記単位回路の各々に含まれる前記第１スイッチングトランジスタを介してデータ信号を供給することによって、前記複数の単位回路の各々に含まれる前記駆動用トランジスタの導通状態を設定し、
　第２の期間に、前記複数の単位回路の各々に含まれる前記第１スイッチングトランジスタをオフ状態として、前記複数の単位回路に含まれる前記駆動用トランジスタをオフ状態としてなる電気光学装置の駆動方法。」の点で一致し、以下の点において相違する。
　
＜相違点Ａ＞
　本願発明では、「第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、　第２の期間に、前記第１群の複数の単位回路の各々に含まれる前記第１スイッチングトランジスタをオフ状態として、前記第１群の複数の単位回路に含まれる前記駆動用トランジスタをオフ状態とし、　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定」する構成であるのに対して、刊行物発明１においては、第１の期間に発光を選択し第２の期間に消灯を選択するノンインターレース駆動の構成である点。
　
６　判断
　上記相違点Ａについて検討する。
　原査定の拒絶の理由で引用され、本願の出願前に頒布された刊行物である特開昭５４−５１７２８号公報（以下、「刊行物６」という。）には、図面とともに、次の事項が記載されている。
ア「２　特許請求の範囲
１　印加電圧と発光輝度との履歴特性を有し、マトリックス電極構造部にパルス電圧を印加することにより動画像表示を実行する画像表示装置において、前記マトリックス電極構造部の電極ラインは群分割された第１の電極ライン群と第２の電極ライン群を１フィールドでそれぞれ消去期間と書込期間とに対応せしめ、フィールド毎に前記各電極ライン群に消去期間と書込期間を交互に設定して画像表示速度を高速化することを特徴とする画像表示装置の駆動方法。」（公報第１頁左下欄「特許請求の範囲」。）
　
イ「第６図に本発明の１実施例であるタイミングチャートを示す。映像信号の書込みは線順次方式で行い、かつインターレース走査を行うこととする。テレビジョン信号の第１フィールドにおいては、マトリックスパネルの奇数ラインの書込および偶数ラインの消去を行う。。第２フィールドにおいてはマトリックスパネルの奇数ラインの消去および偶数ラインの書込を行なう。書込パルスが印加されてから消去パルスが印加されるまでの期間（全期間の１／２）は維持パルスにより発光している。前述したごときタイミングで、書込および消去パルスを印加すればフリッカーは生じなくなる。」（公報第３頁右上欄第３行−同頁同欄第１５行。）
　
　本願発明における「第１の期間に、前記複数の単位回路のうち、前記複数の走査線のうち奇数行の走査線に接続された第１群の複数の単位回路の各々に対して、前記複数のデータ線及び前記第１群の単位回路の各々に含まれる前記第１スイッチングトランジスタを介してデータ信号を供給することによって、前記第１群の複数の単位回路の各々に含まれる前記駆動用トランジスタの導通状態を設定し、　前記第１の期間に、前記複数の単位回路のうち、前記複数の走査線のうち偶数行の走査線に接続された第２群の複数の単位回路の各々に含まれる前記第１スイッチングトランジスタをオフ状態として、前記第２群の複数の単位回路の各々に含まれる前記駆動用トランジスタを、オフ状態とし、　第２の期間に、前記第１群の複数の単位回路の各々に含まれる前記第１スイッチングトランジスタをオフ状態として、前記第１群の複数の単位回路に含まれる前記駆動用トランジスタをオフ状態とし、　前記第２の期間に、前記第２群の複数の単位回路の各々に対して、前記複数のデータ線及び前記第２群の複数の単位回路の各々に含まれる前記第１のスイッチングトランジスタを介してデータ信号を供給することによって、前記第２群の複数の単位回路の各々に含まれる前記駆動用トランジスタの導通状態を設定」する構成は、即ち、第１の期間に奇数行を選択し、該奇数行にある複数の単位回路の各々の駆動用トランジスタを導通状態に設定すると共に、偶数行の第１スイッチングトランジスタをオフ状態として、該偶数行の複数の単位回路に含まれる駆動用トランジスタをオフ状態とし、第２の期間に偶数行を選択し、該偶数行にある複数の単位回路の各々の駆動用トランジスタを導通状態に設定すると共に、奇数行の第１スイッチングトランジスタをオフ状態として、該奇数行の複数の単位回路に含まれる駆動用トランジスタをオフ状態として駆動する構成のことである。
　つまり、本願発明は、第１の期間に奇数行を発光させると共に偶数行を消灯させ、第２の期間に偶数行を発光させる共に奇数行を消灯させるインターレース駆動を行う構成である。
　してみると、上記刊行物６に示されているように、電気光学素子を用いた表示装置の表示制御技術において、第１の期間に奇数行を発光させると共に偶数行を消灯させ、第２の期間に偶数行を発光させる共に奇数行を消灯させる表示装置の表示制御技術は、よく知られた技術にすぎず、そのような制御技術を、同様に電気光学素子を用いた表示装置の表示制御技術に関する発明である、上記刊行物発明１において採用することに特段の困難性もない。そして、上記刊行物発明１において、上記刊行物６に示された表示装置の表示制御技術を採用した際には、上記刊行物発明１においては発光素子ＯＬＥＤをオフ状態とする際に、取込用薄膜トランジスタＴＦＴ３がオフ状態のままであることから、第１の期間に奇数行を選択し、該奇数行にある複数の単位回路の各々の駆動用トランジスタを導通状態に設定すると共に、偶数行の第１スイッチングトランジスタをオフ状態として、該偶数行の複数の単位回路に含まれる駆動用トランジスタをオフ状態とし、第２の期間に偶数行を選択し、該偶数行にある複数の単位回路の各々の駆動用トランジスタを導通状態に設定すると共に、奇数行の第１スイッチングトランジスタをオフ状態として、該奇数行の複数の単位回路に含まれる駆動用トランジスタをオフ状態として駆動する構成となることは、技術的に明白である。したがって、上記相違点Ａに係る本願発明の発明特定事項は、刊行物発明１に上記刊行物６に示された駆動技術を適用することにより当業者が容易に想到し得た程度のものにすぎない。
　
　そして、本願発明の奏する作用効果も、刊行物１及び６に記載された事項から当業者が予測可能な範囲内のものである。
　したがって、本願発明は、刊行物発明１及び刊行物６示された駆動技術に基づいて、当業者が容易に発明をすることができたものである。
　
６　むすび
　以上のとおりであるから、本件出願の請求項１に係る発明（本願発明）は特許法第２９条第２項の規定により特許を受けることができないものであり、その余の請求項２乃至１３に係る発明についての判断を示すまでもなく、本件出願は、拒絶をすべきものである。
　よって、結論のとおり審決する。